(57)【要約】  分析を受ける液体と圧力差を吸収するための空気スペース又は気泡とを収容する分光光度計測器に用いられるクローズドセル１であって、その中の所定位置に空気スペースや気泡を保持するための手段を有する。
2010506189.tif 000002
【特許請求の範囲】
【請求項１】
分析を受ける液体と圧力差を吸収するための空気スペース又は気泡とを収容するクローズドセルであって、その中の所定位置に空気スペースや気泡を保持するための手段を有し、該手段は、第一チャンバーと第二チャンバーを接続する通路に形成されるとともに、空気スペースや気泡を第一チャンバーから第二チャンバーへ容易に通過させ且つ第二チャンバーから第一チャンバーへの通過するのを防ぐ制限要素を備え、該制限要素は、前記チャンバーを部分的に横切るように延びる横断壁によって形成され、これにより第一チャンバーの壁と横断壁の開放端との間に通路が形成され、前記横断壁の開放端は第一チャンバーから第二チャンバーに向かって通路領域を縮小するように輪郭形成されている、クローズドセル。
【請求項２】
前記セルが水平位置にある時、第二チャンバーは第一チャンバーの容積部よりも高くされた容積部を備えるのが好ましく、該容積部は、気泡が通路を移動して第一チャンバーへ入る可能性をさらに減少させる、請求項１に記載のクローズドセル。
【請求項３】
前記セルはそれ自体を液体で満たすための開口部を有し、該開口部はセルが液体で満たされると密閉可能である、請求項１に記載のクローズドセル。
【請求項４】
前記セルは透明物質からなる、請求項１に記載のクローズドセル。
【請求項５】
前記物質は、プラスチック、光学ガラス、パイレックス、ＵＶシリカ又は石英のグループから選択される、請求項４に記載のクローズドセル。
【発明の詳細な説明】
【技術分野】
【０００１】
本発明は、排他的ではないが特に、分光光度計測器のような分析装置に使用されるクローズドセルに関する。
【背景技術】
【０００２】
分光光度計測器のような分析装置は、遷移金属イオンや高複合有機化合物の溶液濃度の量測定でごく一般的に使用されている。そのような溶液濃度は溶液標本を通過する光の吸光度を測定することで決定される。そのような分析において、光（多くの場合、紫外線）は標本に透過され、回析格子や単色光分光器は各種の波長を分離させるために使用され、それらの波長はその後に感光性半導体素子や電荷結合素子によって検波される。
【発明の概要】
【発明が解決しようとする課題】
【０００３】
該分光光度計測器の目盛りを規定するために、既知の濃度による基準溶液が使用されている。基準溶液だけでなく分析に基づく標本もプラスチック、光学ガラス、パイレックス、ＵＶシリカ、石英のような透明物質から主に形成されるセルやキュベット内に含まれる。これらのセルやキュベットは主に一端を密閉した四角か丸のチューブとして形成される。標本や基準溶液もまた汚染を防ぐために両端を密閉したセル内に含まれる。セル内の溶液が上昇した周囲の温度と共に膨張する可能性を減じるために、標本や基準溶液を含むセルに空気スペースや気泡が残されている。つまりセルの破裂の危険性が減少する。
【０００４】
標本や基準セルは慣習的に垂直に整列させて使用されている。セルが垂直に整列している場合、空気スペースや気泡はセルの天部に昇り、標本分析中の光の透過を妨げない。しかしながら、いわゆるプレートリーダー用に使われるようなセルは水平に整列させて使用される。セルが水平に整列している場合、気泡は溶液中に散乱し、それによって標本を通る光の透過と延いては試験測定に影響を与える。本発明は前記の問題を克服しようとするものである。
【課題を解決するための手段】
【０００５】
本発明によれば、分析を受ける液体と圧力差を緩和するための空気スペースまたは気泡とを受容するように適合されたクローズドセルが提供され、該セルはその中の所定の位置に前記空気スペースまたは気泡を維持する手段を備えている。
【０００６】
該セルに備えられた手段は、第二チャンバーに含まれる空気が妨害を受けずに第一チャンバーへ流れる可能性を減らそうとするものである。
【０００７】
好ましくは、該セルは、第二チャンバーに流体が流動するように接続された第一チャンバーを有し、空気スペースまたは気泡を保持するための手段が、第一チャンバーと第二チャンバーとを接続する通路に形成された制限要素を備え、該要素は、空気スペースまたは気泡を第一チャンバーから第二チャンバーに容易に通過させるとともに第二チャンバーから第一チャンバーへの通過を防ぐように形成される。
【０００８】
好ましくは、制限要素は、前記チャンバーを部分的に横切る横断壁によって形成され、第一チャンバーの壁と横断壁の開放端との間に通路が形成される。
【０００９】
好ましくは、横断壁の開放端は、前記通路の領域が第一チャンバーから第二チャンバーの方向に向かって縮小するように輪郭形成される。
【００１０】
好ましくは、水平位置にセルがあるとき、第二チャンバーは第一チャンバーの容積部よりも高くされた容積部を備えるのが好ましく、該容積部は、気泡が通路を逆流して第一チャンバーへ入る可能性をさらに減少させる。
【００１１】
好ましくは、セルはそれ自体を液体で満たすための開口部を含み、その開口部はセルが液体で満たされた後に密閉される。
【００１２】
好ましくは、セルはプラスチック、光学ガラス、パイレックス、ＵＶシリカ、石英から形成される。
【図面の簡単な説明】
【００１３】
【図１】図１は本発明の好ましい実施例の前面投影図を示す。
【図２】図２は図１の実施例の側面投影断面図を示す。
【発明を実施するための形態】
【００１４】
本発明の好ましい実施例は、以下の図面を参照した方法例によりここに説明される。
【００１５】
符号１で示されるクローズドセルは、短い方の末端が矩形平底面７に接合して実質的に立方体型のチャンバーを形成する第一、第二、第三、第四の矩形平側壁３，４，５，６から成る第一チャンバー２を有する。クローズドセル１はさらに実質的に一端で開口する立方体型チャンバー８を形成する第五，第六、第七、第八の矩形平側壁９，１０，１１，１２と矩形平蓋１３を備える第二チャンバー８を有する。
【００１６】
第二チャンバー８の開口端における第五、第六、第七側壁９，１０，１１の末端は第一チャンバー２の開口端における第一、第二、第三側壁３，４，５とそれぞれ一直線に並んでいる。第五、第六、第七側壁９，１０，１１はこのように第一、第二、第三側壁３，４，５とそれぞれ同じ平面に並んでいる。
【００１７】
第二チャンバー８の第八側壁１２は第一チャンバー２の第四側壁６の平面から段差を有して形成されている。第二チャンバー８は実質的に矩形平底面１４を有し、それにより第二チャンバー８の第八側壁１２の末端は第一チャンバー２の第四側壁６に連結して連結部１９の開口部を閉じる。そのため、プレートリーダーに取り付けられ、セルが第二側壁４を底面に配置され実質的に水平位置で静止する場合、第二チャンバー８は第一チャンバー２より高く突出して第二側壁６よりも上に位置する容積部を備える。
【００１８】
第一チャンバー２は、流体通路１５を介して第二チャンバー８へ流体が流動するように接続される。制限要素１６は、第二チャンバー８の底面１４と一体化して形成され且つ連結部１９において第一チャンバー２を部分的に横切る横断平壁１６によって形成され、横断壁１６の開放端と第二平壁４の内面との間に通路１６が形成される。横断平壁１６の延長開放端は通路１５の領域が第一チャンバー２から第二チャンバー８の方向に縮小するような角度１７で傾斜している。
【００１９】
第二チャンバー８の矩形平蓋１３は開放型チューブ１８がしっかり固定された開口部２０を備える。この開口部はチューブを通してセルを標本溶液や液体で満たすことができる。小さな気泡は別として完全にセルが満たされると、第二チャンバー８の開口部２０を覆うチューブ１８の開口端は密閉される。
【００２０】
セルに含まれる液体は上昇する温度と共に膨張しうる。空気スペースまたは気泡はより容易に圧縮され液体の容積膨張から起こる圧力差異を吸収するため、セルが破裂する可能性を減ずるように用いられる。
【００２１】
例えば一般的な処理の間にセルが動かされると空気は空気スペースから第一チャンバー２へ流れ、それからセル１が水平位置に整列され、すなわち試験中に第二矩形平側壁４が水平且つ底面に位置すると、空気は第一チャンバー２に残り溶液濃度の測定の正確性に影響を与える。第一チャンバー２内のその空気を排出するためには、セルをまず第二チャンバー８を上にして垂直位置に整列させ、空気が第一チャンバー２から通路１５を通って第二チャンバー８に流れるようにする。セル１が第二壁４を下にして再び水平位置に整列されると、第二チャンバー８の制限要素１６は空気が第一チャンバーに逆流する可能性を減らすように働く。加えて、セルが第二壁４を下にして並び実質的に水平に位置して静止した場合、高くされた第二チャンバー８の容積部は、気泡が通路１５を下降し第一チャンバー２へ入る可能性をさらに減じているがゆえ、第一チャンバー２へ空気が戻るのを防ぐセルの能率を改善している。
【００２２】
気泡として説明されたが、窒素やヘリウムのような不活発性ガスなどのガスが使われると理解される。
【００２３】
セル１はプラスチック、光学ガラス、パイレックス、ＵＶシリカ、石英のような透明な物質から単体として形成されうる。サンプルセルの利用により、矩形平側壁３，４，５，６，９，１０，１１，１２のうち一つかそれ以上が不透明であり得る。
【図１】
2010506189.tif 000003
2010506189.tif 000004
【図２】
2010506189.tif 000005
【国際調査報告】
2010506189.tif 000006
2010506189.tif 000007